(57)【要約】【課題】映像信号変化や動作モードに併せて、転送の動作クロックを変更するだけでなく、伝送経路における受信部の転送能力を電流制御等で行うことで、受信部の消費電力の最適化を行い、更なる低消費電力化を可能にする。【解決手段】レンズより結像された映像を入射し光電変換を行う撮像素子と、撮像素子を駆動する駆動手段と、撮像素子からのアナログ信号をデジタル信号へ変換するＡＤ変換手段と、ＡＤ変換手段から受け取るデジタル信号の転送能力が切り替え可能な受信手段と、受信したデジタル信号をもとに映像の動きを検出する動き検出手段と、動き検出手段からの情報をもとに受信手段の転送能力と駆動手段の駆動を切り替える制御手段とを有することを特徴とする撮像装置。【選択図】  図１
2012095217.tif 000002
【特許請求の範囲】
【請求項１】
レンズより結像された映像を入射し光電変換を行う撮像素子と、
撮像素子を駆動する駆動手段と、
撮像素子からのアナログ信号をデジタル信号へ変換するＡＤ変換手段と、
ＡＤ変換手段から受け取るデジタル信号の転送能力が切り替え可能な受信手段と、
受信したデジタル信号をもとに映像の動きを検出する動き検出手段と、
動き検出手段からの情報をもとに受信手段の転送能力と駆動手段の駆動を切り替える制御手段とを有することを特徴とする撮像装置。
【請求項２】
前記受信手段の転送能力切り替えを電流制御で行うことを特徴とする請求項１に記載の撮像装置。
【請求項３】
前記受信手段を小振幅差動信号（ＬＶＤＳ）伝送方式用いることを特徴とする請求項１に記載の撮像装置。
【請求項４】
前記受信手段を複数用いて並列処理を行う場合に、前記制御手段にて前記受信手段の使用個数を切り替えることを特徴とする請求項１に記載の撮像装置。
【請求項５】
前記撮像装置において、前記動き検出手段からの情報を保持する検出結果保持手段と、検出結果保持手段に保持されている複数の検出結果より、受信手段の転送能力と駆動手段の駆動を切り替える制御手段とを有することを特徴とする請求項１に記載の撮像装置。
【発明の詳細な説明】
【技術分野】
【０００１】
本発明はデジタルカメラ、デジタルビデオカメラのような撮像装置における、イメージセンサからの映像信号を読み出す際の、高速読み出しによる消費電力増加を抑制するための制御方法に関する。
【背景技術】
【０００２】
従来、デジタルカメラやデジタルビデオカメラのような映像を撮像する電子機器おいて、動作モードの変化に応じてデータ伝送の動作クロック周波数を変更し、低消費電力化を行う技術が提案されている。（例えば、特許文献１参照。）
【先行技術文献】
【特許文献】
【０００３】
【特許文献１】特開２００６−２７７０３２号公報
【発明の概要】
【発明が解決しようとする課題】
【０００４】
しかしながら、上記従来技術の構成では、イメージセンサからの信号読み出し部に実装される受信部の消費電力について適切な低消費電力化がなされていない。
【０００５】
本発明は、映像信号変化や動作モードに併せて、転送の動作クロックを変更するだけでなく、伝送経路における受信部の転送能力を電流制御等で行うことで、受信部の消費電力の最適化を行い、更なる低消費電力化を可能にする。
【課題を解決するための手段】
【０００６】
レンズより結像された映像を入射し光電変換を行う撮像素子と、撮像素子を駆動する駆動手段と、撮像素子からのアナログ信号をデジタル信号へ変換するＡＤ変換手段と、ＡＤ変換手段から受け取るデジタル信号の転送能力が切り替え可能な受信手段と、受信したデジタル信号をもとに映像の動きを検出する動き検出手段と、動き検出手段からの情報をもとに受信手段の転送能力と駆動手段の駆動を切り替える制御手段とを有することを特徴とする撮像装置。
【０００７】
更に前記受信手段の転送能力切り替えを電流制御で行うことを特徴とする撮像装置。
更に前記受信手段を小振幅差動信号（ＬＶＤＳ）伝送方式用いることを特徴とする撮像装置。
【０００８】
更に前記受信手段を複数用いて並列処理を行う場合に、前記制御手段にて前記受信手段の使用個数を切り替えることを特徴とする撮像装置。
【０００９】
更に前記撮像装置において、前記動き検出手段からの情報を保持する検出結果保持手段と、検出結果保持手段に保持されている複数の検出結果より、受信手段の転送能力と駆動手段の駆動を切り替える制御手段とを有することを特徴とする撮像装置。
【発明の効果】
【００１０】
本発明によれば、イメージセンサからの映像信号伝送経路におけるバッファ部の消費電力を低減することが可能になる。
【図面の簡単な説明】
【００１１】
【図１】本発明の構成図
【図２】第１の実施形態フロー
【図３】動き量判別の閾値と、読み出し速度と、転送能力と、の関係を表す説明図
【図４】本発明の他の構成図
【図５】第２の実施形態フロー
【発明を実施するための形態】
【００１２】
以下、本発明の実施例について図面を参照しながら説明する。図１に本発明の実施例１である撮像装置の構成を示す。
【００１３】
図１において、撮影像を結像する撮像素子１０１、撮像素子１０１から撮像信号読み出し、読み出したアナログデータをデジタルデータへ変換するＡ／Ｄ変換回路１０２、デジタルデータに変換された撮像信号はデジタルデータ処理回路１１３へ転送され、受信部１０３で受信される。受信部１０３で受信された撮像データは、シリアル／パラレル変換回路１０４にてシリアルデータからパラレルデータへと変換され、ＦＩＦＯ１０５へ入力される、所定の転送速度でＦＩＦＯ１０５からメモリ１０６へと転送され、メモリ１０６へ格納された撮像データは、信号処理回路１０７によって輝度信号及び色差信号を生成し、映像の最適化処理を行う。信号処理回路１０７は、撮像データの動き量より動き検出を行う動き検出回路１０８を有する。動き検出回路１０８によって検出された結果は、制御部１０９へ送信される。また記録制御を行う記録制御スイッチ１１０によって使用者の処理情報も制御部１０９へと送信される。制御部１０９は、撮像素子１０１のタイミング制御を行うためのタイミングジェネレータ１１２制御を行う。タイミングジェネレータ１１２は、制御部１０９からの制御信号と、発振回路１１０からのクロックによって、撮像素子１０１のタイミングを制御する。
【００１４】
［実施例１］
次に第１の実施形態の動作について説明する。動き検出回路１０８にて撮像データより検出された動き量を、制御部１０９によって既に設定されている閾値と比較し、ある閾値より検出された動き量が大きい場合は、撮像信号読み出し速度を上げるように制御部１０９から、タイミングジェネレータ１１２へ指示し、撮像素子１０１からの読み出し速度を変化させる。高速に読み出されたアナログデータをデジタルデータへとＡ／Ｄ変換回路１０２にて変換し、受信部１０３で受信する際には、高速読み出しされたデータが受信可能になるように制御部１０９から転送能力設定を行う。動き検出回路１０８で検出された動き量が設定されている閾値よりも小さい場合は、撮像素子１０１からの撮像信号読み出し速度を下げ、受信部１０３の転送能力も連動させて変化させるよう制御部１０９から設定を行う。この場合のフローについて図２（ａ）を用いて説明する。まずはステート３０２にて撮像素子に入力される信号より動き量を計測し、ステート３０３にて計測後の動き量の大きさを設定されている閾値と比較する。比較した結果、動き量が閾値より大きいと判断された場合はステート３０４へ遷移し、小さいと判断された場合はステート３０５へと遷移する。ステート３０４、３０５で適切な制御がなされた後に再度、入力される信号より動き量を検出するステート３０２へと遷移する。
【００１５】
また、動き量判別の閾値を複数設けて、読み出し速度と転送能力の連動設定を段階的に行うことも可能である。この場合のフローについて図２（ｂ）と図３を用いて説明する。まずはステート３０７にて撮像素子に入力される信号より動き量を計測し、て計測後の動き量の大きさを複数設定されている閾値と比較する。この時の設定されている閾値の値を図３に示す。閾値を３つ設定し、それぞれの設定値をＡ，Ｂ，Ｃとする。まずステート３０７にて比較した結果、動き量が閾値Ａより大きいと判断された場合はステート３１１へ遷移する。ステート３０８にて動き量が閾値Ａより小さいと判断された場合はステート３０９へ遷移し、ステート３０９にて動き量を閾値Ｂと比較する。ステート３０９にて比較した結果、動き量が閾値Ｂより大きいと判断された場合はステート３１２へ遷移する。ステート３０９にて動き量が閾値Ｂより小さいと判断された場合はステート３１０へ遷移し、ステート３１０にて動き量を閾値Ｃと比較する。ステート３１０にて比較した結果、動き量が閾値Ｃより大きいと判断された場合はステート３１３へ遷移する。ステート３１０にて動き量が閾値Ｃより小さいと判断された場合はステート３１４へ遷移する。それぞれ、ステート３１１、３１２，３１３，３１４へ遷移した際に、適切な撮像素子の駆動制御並びに受信部の転送能力を変化させる。
【００１６】
このように被写体の動き量に応じて、撮像素子からの読み出し速度を変更することで、動画像としての劣化を抑制すると共に、動き量に最適な撮像素子の駆動設定とデータ受信部の転送能力設定を行うことで、低消費電力化を可能なものにする。
【００１７】
［実施例２］
次に第２の実施形態の動作について説明する。図４に示したような、複数の受信部で構成させるよう撮像装置においては、４つの受信部４０３、４０４、４０５、４０６を駆動させて撮像データを転送することも可能である。この場合には、動き量に応じた転送能力切り替えと、撮像画角のサイズによる受信部の使用個数切り替えとを連動させて行うことで、消費電力の最適化を行うことが可能になる。
【００１８】
撮像画角が大きいサイズで、動き量が閾値よりも大きい場合は、受信部４０３、４０４、４０５、４０６のうち複数の受信部を使用し、駆動能力も高く設定することで、動画の劣化を少なくデータ転送を行うことが可能となる。また、撮像画角が小さいサイズで、動き量が閾値よりも小さい場合は、受信部４０３、４０４、４０５、４０６のうち１つの受信部を使用し、駆動能力も小さく設定することで、消費電力を抑えたデータ転送を行うことが可能となる。
【００１９】
この場合のフロー図５を用いて説明する。まずステート５０２にて撮影像の画角を確認する。画角がＦｕｌｌＨＤ（１，９２０×１，０８０画素）などの高解像度画角の場合は、ステート５０４へ、画角がＳＤ（６４０×４８０画素）などの低解像度画角の場合は、ステート５０５へ遷移する。ステート５０４とステート５０５では、それぞれ動き量の大きさを設定されている閾値と比較する。ステート５０４で比較した結果、動き量が閾値より大きいと判断された場合は、ステート５０８に遷移し、撮像素子からの撮像信号読み出し速度を上げて、複数の受信部を使用し、それぞれの受信部の転送能力も連動させて変化させるよう制御を行う。ステート５０４で比較した結果、動き量が閾値より小さいと判断された場合は、ステート５０９に遷移し、受信部は複数個使用するように制御を行い、撮像素子からの撮像信号読み出し速度を下げ、受信部の転送能力も連動させて変化させる。
【００２０】
ステート５０５で比較した結果、動き量が閾値より大きいと判断された場合は、ステート５１０に遷移し、撮像素子からの撮像信号読み出し速度を上げて、１つの受信部を使用し、その受信部の転送能力も連動させて変化させるよう制御を行う。ステート５０５で比較した結果、動き量が閾値より小さいと判断された場合は、ステート５１１に遷移し、受信部を１つ使用するように制御を行い、撮像素子からの撮像信号読み出し速度を下げ、受信部の転送能力も連動させて変化させる。
【００２１】
このように撮影画角と被写体の動き量に応じて、受信部の使用個数と撮像素子からの読み出し速度を変更することで、動画像としての劣化を抑制すると共に、動き量に最適な撮像素子の駆動設定とデータ受信部の転送能力設定を行うことで、低消費電力化を可能なものにする。
【符号の説明】
【００２２】
１０１  撮像素子
１０２  Ａ／Ｄ変換回路
１０３  受信部
１０４  パラレル／シリアル変換回路
１０５  ＦＩＦＯ
１０６  メモリ
１０７  信号処理回路
１０８  動き検出回路
１０９  制御部
１１０  記録制御スイッチ
１１１  発振回路
１１２  タイミングジェネレータ
１１３  デジタルデータ処理回路
４０１  撮像素子
４０２  Ａ／Ｄ変換回路
４０３  受信部１
４０４  受信部２
４０５  受信部３
４０６  受信部４
４０７  パラレル／シリアル変換回路
４０５  ＦＩＦＯ
４０６  メモリ
４０７  信号処理回路
４０８  動き検出回路
４０９  制御部
４１３  記録制御スイッチ
４１４  発振回路
４１５  タイミングジェネレータ
４１３  デジタルデータ処理回路
【図１】
2012095217.tif 000003
【図２】
2012095217.tif 000004
【図３】
2012095217.tif 000005
【図４】
2012095217.tif 000006
【図５】
2012095217.tif 000007